(57)【要約】【課題】  簡単な構成で、不用意に連結が外れることがない流体管路用接続装置を提供する。【解決手段】  流体の注入口または排出口であるポート１６と、ポート１６の流路を囲んで形成された雌ネジ２４と、ポート１６に連結される開口部を有するコネクタ部材２６とから成る。雌ネジ２４の内側に差し込まれる差込筒部３２と、差込筒部３２に対して別体構造で取り付けられヘッダーポート１６の雌ネジ２４に対向したロックナット４０と、ロックナット４０の外周面に形成されヘッダーポート１６の雌ネジ２４に螺合される雄ネジ４２とを備える。本体１２から突出し、差込筒部３２とロックナット４０を連結して、一定以上の力が加えられると破断し、互いの連結が解除される連結部であるロック用突起３８を備える。【選択図】        図１
2005074149.tif 000002
【特許請求の範囲】
【請求項１】
流体の注入口または排出口であるポートと、上記ポートの流路を囲んで形成された雌ネジと、上記ポートに連結される開口部を有するコネクタ部材とから成り、上記雌ネジの内側に差し込まれる差込筒部と、上記差込筒部に対して別体構造で取り付けられ上記ポートの雌ネジに対向したロックナットと、上記ロックナットの外周面に形成され上記ポートの上記雌ネジに螺合される雄ネジと、上記差込筒部と上記ロックナットを連結し一定以上の力が加えられると破断して互いの連結が解除される連結部が設けられたことを特徴とする流体管路用接続装置。
【請求項２】
上記ポートは、血液透析に用いるダイアライザに設けられ、血液の注入口及び排出口となるポートであり、上記コネクタ部材は、上記ダイアライザのポートに連結される開口部を有するコネクタ部材であり、上記コネクタ部材には、上記コネクタ部材を回して上記ロックナットと上記ポートを螺合させるためのハンドル部が設けられ、上記ハンドル部に一定以上の力が加えられると上記コネクタ部材とハンドル部とを分離する上記連結部が設けられていることを特徴とする請求項１記載の流体管路用接続装置。
【請求項３】
上記ダイアライザの上記ヘッダー部には、上記コネクタ部材の一部に係止され上記コネクタ部材と上記ポートの螺合を解除する方向の回転を防ぐ係止部が設けられていることを特徴とする請求項２記載の流体管路用接続装置。
【発明の詳細な説明】
【技術分野】
【０００１】
本発明は、例えば血液回路をダイアライザに接続し、血液の透析を行う流体管路用接続装置に関する。
【背景技術】
【０００２】
従来、例えば血液回路をダイアライザのポートに接続して血液透析を行う場合、ダイアライザの注出入ポートには、血液回路となるチューブを連結するコネクタ部材が各々接続される。しかし、このコネクタ部材の固定が不完全である場合、コネクタ部材の離脱により血液回路内の血液が漏れ出す事故が発生することがある。このような事故を防止するため、欧米諸国ではダイアライザと血液回路のコネクタ部材の構造は、十数年前よりルアーロック型方式を採用している。一方、日本では、昨年４月頃まで雄雌構造の嵌合によるスリップイン型が採用されてきたが、厚生労働省の指導により次第にルアーロック型の構造が採用され、現在ではすべてルアーロック型に変更された。
【０００３】
ルアーロック型の接続装置の構造は、血液回路側のコネクタ部材の周囲に雄ネジが形成され、ダイアライザヘッドには雌ネジが形成されているもので、コネクタ部材の雄ネジをダイナライザヘッドの雌ネジに螺合させることにより結合させている。
【特許文献１】特開平８−１５５０２５号公報
【特許文献２】特開平１１−２５３５５３号公報
【発明の開示】
【発明が解決しようとする課題】
【０００４】
ルアーロック型の接続装置は、縦方向の引張りには強いが、ひとたび反時計方向に緩み出すと、比較的簡単に緩んでしまうという欠点がある。原因は、ダイアライザの血液ポートと血液回路側のコネクタ部材とが螺合するネジのリード角が比較的大きく、僅かの回動角により接触がなくなるためであると考えられる。このため、透析中は、接続部に緩みがないかどうか、注意深く点検しなければならない。従って、ルアーロック型の接続装置も完全に安全な構造ではないため、より安全な接続装置が求められている。
【０００５】
この発明は上記従来の技術の問題点に鑑みて成されたもので、簡単な構成で不用意に連結が外れることがない流体管路用接続装置を提供することを目的とする。
【課題を解決するための手段】
【０００６】
この発明は、流体の注入口または排出口であるポートと、上記ポートの流路を囲んで形成された雌ネジと、上記ポートに連結される開口部を有するコネクタ部材とから成り、上記雌ネジの内側に差し込まれる差込筒部と、上記差込筒部に対して別体構造で取り付けられ上記ポートの雌ネジに対向したロックナットと、上記ロックナットの外周面に形成され上記ポートの上記雌ネジに螺合される雄ネジと、上記差込筒部と上記ロックナットを連結し一定以上の力が加えられると破断して互いの連結が解除される連結部が設けられた流体管路用接続装置である。
【０００７】
この発明は、血液透析に用いるダイアライザに設けられ、血液の注入口及び排出口であるポートと、上記ダイアライザのポートに連結される開口部を有するコネクタ部材とから成る流体管路用接続装置である。
【０００８】
また、上記コネクタ部材には、上記コネクタ部材を回して上記ロックナットと上記ポートを螺合させるためのハンドル部が設けられ、上記ハンドル部には一定以上の力が加えられると上記コネクタ部材から分離する上記連結部が設けられている。
【０００９】
また、上記ダイアライザのヘッダー部等に設けられた上記ポートは、上記コネクタ部材の一部に係止され上記コネクタ部材と上記ポートの螺合を解除する方向の回転を防ぐ係止部が設けられている。
【発明の効果】
【００１０】
本発明の流体管路用接続装置は、簡単な構造で、確実に流体回路の接続を保持することができ、例えば人口透析中にダイアライザと血液回路のコネクタ部材の連結が不用意に解除される等の問題を防ぐことができる。
【発明を実施するための最良の形態】
【００１１】
以下、この発明の実施の形態について図面に基づいて説明する。図１、図２はこの発明の第一実施形態を示すものであり、この実施形態の流体管路用接続装置は、血液透析に用いられるダイアライザの血液回路の接続装置１０についてのものであり、後述するダイアライザ１２と血液回路であるチューブ１４を連結し、血液透析を行うためのものである。
【００１２】
ダイアライザ１２は、ポリカーボネート等の硬質樹脂で作られ、ダイアライザ１２の一端のヘッダー部には、血液注入口であるヘッダーポート１６が設けられている。ヘッダーポート１６には管状部１８が形成され、管状部１８の外側に同心状に同じ突出長で、円筒状の外筒部２０が設けられている。外筒部２０の内周面には、雌ネジ２４が形成されている。
【００１３】
血液回路であるチューブ１４の先端部１４ａには、コネクタ部材２６が設けられる。コネクタ部材２６は筒状の本体２８を有し、本体２８を貫通する円筒状の空間は、本体２８の中程からチューブ１４側の端部２８ａにかけて、チューブ１４の先端部１４ａが内側に密着して取り付けられる小径部２８ｂであり、他方の端部２８ｃに連通する残りの空間は、ヘッダーポート１６の管状部１８の外周面がわずかなゆとりを有して嵌合される大径部２８ｄとなっている。本体２８の、大径部２８ｄが設けられた部分は、ヘッダーポート１６の管状部１８の外周面と、外筒部２０の内周面と、底部２２で形成された溝部３０に差し込まれる差込筒部３２となる。差込筒部３２の先端は、ヘッダーポート１６の底部２２に当接するフランジ部３４が、外側に一周して設けられている。
【００１４】
本体２８の差込筒部３２以外の外周面には、本体２８の直径方向に外側に突出し差込筒部３２の挿通方向に面が位置する板状のハンドル部３６が設けられている。コネクタ部材２６のハンドル部３６の、差込筒部３２側の端部３６ａには、後述するロックナット４０に埋設されるロック用突起３８が、差込筒部３２と平行に複数突出して設けられている。ロック用突起３８は、ハンドル部３６とロックナット４０を破断可能に一体に連結する。
【００１５】
差込筒部３２の外周面の、ハンドル部３６とフランジ部３４の間に位置する部分には、シリコンラバー等の柔軟性が高く密着性が良好な素材で作られた筒状のロックナット４０が設けられている。ロックナット４０の外周面には、ヘッダーポート１６の外筒部２０の雌ネジ２４に螺合される雄ネジ４２が形成されている。ロックナット４０の取付方法は、本体２８とは別に成形した後に嵌め込むもので、このとき、ロック用突起３８をロックナット３６に食い込ませ、ロックナット４０とハンドル部３６及び差込筒部３２を連結する。
【００１６】
ダイアライザ１２の一方のヘッダーポート１６の反対側には、血液注出口である図示しないヘッダーポートが同様に設けられ、同形の接続装置が設けられている。
【００１７】
次に、ダイアライザ１２のヘッダーポート１６にコネクタ部材２６を取り付ける操作について説明する。先ず、チューブ１４があらかじめ水密に取り付けられたコネクタ部材２６の差込筒部３２を、ダイアライザ１２の、ヘッダーポート１６の溝部３０に差し込む。次に、コネクタ部材２６のハンドル部３６を保持して本体２８をヘッダーポート１６に対して時計回りに回転させる。すると差込筒部３２に取り付けられたロックナット４０は、ロック用突起３８により差込筒部３２と一体に設けられているので、差込筒部３２と一体に回転し、ロックナット４０の雄ネジ４２がヘッダーポート１６の雌ネジ２４に螺合される。コネクタ部材２６のロックナット４０は柔軟な素材で作られているため、ダイアライザ１２のヘッダーポート１６内に高い摩擦力で密着して連結される。
【００１８】
この状態からさらにコネクタ部材２６を時計回りに回転させると、差込筒部３２のロック用突起３８が破断し、ヘッダーポート１６の外筒部２０内の雌ネジ２４に密着したロックナット４０から差込筒部３２がフリーとなる。このときも、ロックナット４０はヘッダーポート１６に密着した状態で残り、水密を保つ。
【００１９】
この実施形態の流体管路用接続装置１０によれば、ダイアライザ１２のヘッダーポート１６にコネクタ部材２６が螺合されて確実に連結され、さらに螺合を解除する方向に力が加えられても、ロックナット４０が外筒部２０に密着して残るため、血液回路の離脱が起きず、安全である。また、ハンドル部３６に回転が加えられても、本体２８のみが回転してロックナット４０は動かず、液漏れや破損などの不安がない。
【００２０】
次にこの発明の第二実施形態について図２に基づいて説明する。この実施形態の流体管路用接続装置４４は、上記実施形態と同一の部材は同一の番号を付して説明を省略する。コネクタ部材２６には、本体２８とハンドル部３６との間に、ミシン目状の破断線４６が形成されている。
【００２１】
次に、ダイアライザ１２のヘッダーポート１６にコネクタ部材２６を取り付ける操作について説明する。チューブ１４が予め取り付けられたコネクタ部材２６の、差込筒部３２を、ダイアライザ１２の、ヘッダーポート１６の溝部３０に差し込む。そして、コネクタ部材２６のハンドル部３６を保持して本体２８を時計回りに回転させる。するとロックナット４０は差込筒部３２と一体に回転し、ロックナット４０の雄ネジ４２はヘッダーポート１６の雌ネジ２４に螺合される。これによりコネクタ部材２６のロックナット０は柔軟な素材で作られているためダイアライザ１２のヘッダーポート１６に高い摩擦力で水密に連結される。
【００２２】
この状態からコネクタ部材２６を時計回りにさらに回転させ、一定強さ以上の力がハンドル部３６に加わると、ヘッダーポート１６にロックナット４０が密着し本体２８が回転せず、破断線４６が形成された連結部で切断されてハンドル部３６が本体２８からフリーの状態となる。本体２８から離れたハンドル部３６は、図示しない係止手段により、落下をしない。本体２８とロックナット４０は、ヘッダーポート１６に密着した状態を維持し、水密を保つ。
【００２３】
この実施形態の流体管路用接続装置４４によれば、簡単な構造で、ダイアライザ１２のヘッドポート１６にコネクタ部材２６が螺合されて確実に連結される。そして、コネクタ部材２６に螺合を解除する方向に力が加えられてもロックナット４０が外筒部２０に密着した状態を維持するため、血液回路の離脱が起きず、安全である。また、ハンドル部３６に回転が方向に加えられても、ハンドル部３６は分離しているので、本体２８とロックナット４０は動かず、破損などの不安がない。
【００２４】
次にこの発明の第三実施形態について図３に基づいて説明する。この実施形態の流体管路用接続装置４８は、上記実施形態と同一の部材は同一の番号を付して説明を省略する。この実施形態では、ダイアライザ１２のヘッダーポート１６の、外筒部２０の上面２０aに、コネクタ部材２６の、螺合を解除する方向の回転を防ぐ係止部である突部５０が円周方向に連続して形成されている。突部５０はノコギリ歯状であり、突部５０の頂点５０aは外筒部２０の半径方向に線状に設けられ、突部５０の、頂点５０ａよりも時計回り進行方向は、外筒部２０の上面２０aからほぼ直角に立ち上がる直角面５０ｂであり、反対側は、頂点５０aから離れるに従い上面２０aに近づく傾斜面５０ｃである。
【００２５】
次に、ダイアライザ１２のヘッダーポート１６にコネクタ部材２６を取り付ける操作について説明する。チューブ１４が予め取り付けられたコネクタ部材２６の差込筒部３２を、ダイアナライザー１２のヘッダーポート１６の溝部３０に差し込む。そして、コネクタ部材２６のハンドル部３６を保持して本体２８を時計回りに回転させる。すると差込筒部３２に取り付けられたロックナット４０は差込筒部３２と一体に回転し、ロックナット４０の雄ネジ４２はヘッダーポート１６の雌ネジ２４に螺合される。このとき、ハンドル部３６が時計方向に回転しながら外筒部２０近傍まで接近し、ハンドル部３６の端面は、外筒部２０の突部５０の傾斜面５０ｃに当接しながらも弾性変形することにより回転をつづけ、頂点５０ａを乗り越えたとき弾性変形が元の形状に戻り、反対側の直角面５０ｂを逆方向から乗り越えることができなくなる。これによりコネクタ部材２６は、螺合を解除する方向の回転が止められる。そしてコネクタ部材２６はダイアライザ１２のヘッダーポート１６に高い摩擦力で水密に連結される。
【００２６】
この実施形態の流体管路用接続装置４８によれば、簡単な構造で、ダイアライザ１２のヘッダーポート１６にコネクタ部材２６が螺合されて確実に連結され、さらに螺合を解除する方向に力が加えられても突部５０とハンドル部３６が係止されているため、コネクタ部材２６が外れることがなく、血液回路の離脱が起きず、安全である。
【００２７】
なお、この発明の接続装置は、上記各実施形態に限定されるものではなく、連結する流体の種類や用途は問わないものであり、各部材の形状や、個数、素材など、自由に変更可能である。コネクタ部の、ロック用突起が折れる強度や、ハンドル部が分離される破断線の強度等、適宜設定可能である。また、外筒部に形成され螺合を解除する方向の回転を防ぐ係止部に対向する被係止部を、コネクタ部材に形成してもよい。
【図面の簡単な説明】
【００２８】
【図１】この発明の第一実施形態の流体管路用接続装置の部分破断縦断面図である。
【図２】この発明の第二実施形態の流体管路用接続装置の部分破断縦断面図である。
【図３】この発明の第三実施形態の流体管路用接続装置の側面図（ａ）、上面図（ｂ）、部分破断縦断面図（ｃ）である。
【符号の説明】
【００２９】
１０  流体管路用接続装置
１２  ダイアライザ
１４  チューブ
１６  ヘッダーポート
１８  管状部
２０  外筒部
２２  底部
２４  雌ネジ
２６  コネクタ部材
２８  本体
３０  溝部
３２  差込筒部
３４  フランジ部
３６  ハンドル部
３８  ロック用突起
４０  ロックナット
４２  雄ネジ
【図１】
2005074149.tif 000003
【図２】
2005074149.tif 000004
【図３】
2005074149.tif 000005
【手続補正書】
【提出日】平成15年9月3日(2003.9.3)
【手続補正１】
【補正対象書類名】図面
【補正対象項目名】図３
【補正方法】変更
【補正の内容】
【図３】
2005074149.tif 000006